(57)【要約】【課題】簡単な構造でピックアップレンズ表面に付着した塵埃を除去することができるピックアップレンズのクリーニング装置を提供する。【解決手段】ピックアップレンズ１０を開口部にて露出するピックアップカバー１２及びピックアップハウジング１４を有する光ピックアップ８と、スピンドルにより回転可能なターンテーブル６とを備える光ディスク装置２におけるピックアップレンズのクリーニング装置であって、ピックアップカバー１２の側面に、スピンドルに対向する側に設けられ、かつ、ターンテーブル６の回転により生じる空気流を取り込む空気取入口２４と、ピックアップカバー１２にてピックアップレンズ１０に向けて開口した噴出口１８と、噴出口１８と空気取入口２４とを接続する通路２６とを有しており、取り込んだ空気流を噴出口１８からピックアップレンズ１０に吹き付け、塵埃を除去する。【選択図】図１
2008059640.tif 000002
【特許請求の範囲】
【請求項１】
ピックアップレンズを有する筐体状のピックアップハウジング及び該ピックアップハウジングを覆い、前記ピックアップレンズを露出させてある箱状のピックアップカバーを有する光ピックアップと、該光ピックアップに並設してあるスピンドルにより回転するターンテーブルとを備える光ディスク装置におけるピックアップレンズのクリーニング装置であって、
前記ピックアップカバー及び／又はピックアップハウジングに、前記スピンドルに対向する側に設けられ、前記ターンテーブルの回転により生じる空気流を取り込む空気取入口と、
前記ピックアップカバーに設けられた、前記ピックアップレンズに向けて空気流を噴出する噴出口と、
該噴出口及び前記空気取入口を接続する通路とを有しており、
取り込んだ前記空気流を前記噴出口から前記ピックアップレンズに吹き付けるように構成してあることを特徴とするピックアップレンズのクリーニング装置。
【請求項２】
前記噴出口から噴出する空気流は、前記ターンテーブルに装着された光ディスクで反射して前記ピックアップレンズに吹き付けるようにしてあることを特徴とする請求項１に記載のピックアップレンズのクリーニング装置。
【請求項３】
前記噴出口は、前記ピックアップレンズに向けてテーパー状末広がりに開口していることを特徴とする請求項１又は２に記載のピックアップレンズのクリーニング装置。
【請求項４】
前記噴出口は、前記ピックアップレンズに前記空気流を吹き付けるようにした案内フードを備えてあることを特徴とする請求項１乃至３のいずれか一つに記載のピックアップレンズのクリーニング装置。
【請求項５】
前記噴出口及び前記空気取入口は、複数箇所設けられてあることを特徴とする請求項１乃至４のいずれか一つに記載のピックアップレンズのクリーニング装置。
【請求項６】
前記ピックアップカバー及びピックアップハウジングと前記スピンドルとの間隔は、前記空気取入口に向かって狭くなるように構成してあることを特徴とする請求項１乃至５のいずれか一つに記載のピックアップレンズのクリーニング装置。
【請求項７】
前記ターンテーブルの下面にスパイラル構造の突起を設けてあることを特徴とする請求項１乃至６のいずれか一つに記載のピックアップレンズのクリーニング装置。
【請求項８】
請求項１乃至７のいずれか一つに記載のピックアップレンズのクリーニング装置と、ピックアップレンズを有する光ピックアップと、スピンドルにより回転するターンテーブルとを備えることを特徴とする光ディスク装置。
【発明の詳細な説明】
【技術分野】
【０００１】
本発明は、ピックアップレンズについた塵埃を除去するピックアップレンズのクリーニング装置及びピックアップレンズのクリーニング装置を備えた光ディスク装置に関する。
【背景技術】
【０００２】
情報の記録再生で使用される光ディスク及び光磁気ディスク等は、音響機器、映像機器及びパーソナルコンピュータ等に利用されている。デジタルの音楽メディアとしてはコンパクトディスク（ＣＤ）及びデジタル方式の小型録音再生機用の光磁気ディスクであるミニディスク（ＭＤ）が使用され、映像メディアとしてはデジタルビデオディスク（ＤＶＤ）が使用されている。またコンピュータ用の記録メディアとしてはＣＤ等が使用されているが、近年では情報を書き込むことが可能なＣＤ−Ｒ／ＲＷ等も使用されるようになってきている。
【０００３】
これらメディアの記録再生は、ディスクドライブに設けられた光学式の光ピックアップでなされる。ディスクドライブは、ターンテーブルに装着されたメディアディスクをスピンドルモータで回転させ、光ピックアップをメディアディスクに対して半径方向に移動させて、メディアディスクの情報を読み込み又はメディアディスクに情報を書き込む。
このような光ピックアップは、レーザ発信器から発射したレーザ光をレンズで集光してメディアディスクの記録面に当て、その反射光を光センサで捕らえるようになっている。
【０００４】
光ピックアップの対物レンズに付着した塵埃は、清掃部材を取り付けたクリーニングディスクを光ピックアップに対面させ、清掃部材を対物レンズに直接接触させて取り除かれている。
【０００５】
この種の光ピックアップの対物レンズをクリーニングする装置として以下の提案がある。
特許文献１に示す例では、筐体内部に設置されたシリンダーとローディングトレイの駆動に連動して動くピストン及びシリンダーに設けられた空気弁と排気チューブによって、ローディングトレイ収納駆動時にシリンダー内で生じる圧縮空気を光ピックアップレンズに吹き付け、空気流を利用して光ピックアップレンズに付着・堆積した塵埃を除去している。
【０００６】
また特許文献２に示す例では、ディスクと同一形状のクリーナー用ディスクと、ディスクに形成された貫通孔とで、ディスクの回転中に貫通孔により発生する空気流がレンズに送られて塵を除去している。
さらに特許文献３に示す例では、クリーニングディスクの回転により発生する風圧を吸入口より取り込み、エアー密度を高めながら噴射口より噴射する形状を形成した通気機構を一つ又は複数設けることによって、光ピックアップの対物レンズを非接触で清掃している。
特許文献４に示す例では、既存のディスクと同大のディスクに送風手段として花弁状・新月状等の複数の翼形片を等間隔に形成し、各翼形片は外端部がディスク円周の一部を構成するとともに基部がディスクのデータゾーンの外周縁に所定の幅を有して一体であり、回転時に翼形片同士の離隔部からエアーが光ピックアップレンズに向けて送り込まれるようになっている。
【特許文献１】特開平１１−１１０９３６号公報
【特許文献２】特開２０００−２１５４８８号公報
【特許文献３】特開２００４−１７８７７８号公報
【特許文献４】実用新案登録第３１１４５２０号公報
【発明の開示】
【発明が解決しようとする課題】
【０００７】
しかしながら従来の特許文献１では、シリンダー及びピストンなどの構造部材が必要になるので装置の容量及び重量が大きくなり、コスト高にもなりかねず、また空気の圧縮機構のためローディングに負荷がかかり、電力消費の増加及び品質の信頼性低下の原因ともなりえ、改善の余地がある。
【０００８】
特許文献２〜４では、ピックアップレンズのクリーナー用のディスクが別途必要であり、記録再生用のメディアディスクをディスクドライブに載置すると、ピックアップレンズをクリーニングできない。
したがって、より簡単な構造で記録再生用のメディアディスクを載置してもクリーニング可能なようにするには、改善の余地がある。
【０００９】
本発明は、このような事情に鑑みてなされたものであって、その目的とするところは、光ピックアップにターンテーブルの回転により生じる空気流を取り込む空気取入口と、取り入れた空気流をピックアップレンズに吹き付ける噴出口とを備えることにより、簡単な構造でピックアップレンズ表面に付着した塵埃を除去することができるピックアップレンズのクリーニング装置を提供することにある。
【００１０】
また本発明の他の目的とするところは、装着されたメディアディスクを利用して空気流をピックアップレンズに吹き付ける構成とすることにより、構造が極めて簡単なピックアップレンズのクリーニング装置を提供することにある。
【００１１】
さらに本発明の他の目的とするところは、空気流をピックアップレンズに吹き付ける噴出口をテーパー状にすることにより、空気流を効果的にピックアップレンズに吹き付けることができるピックアップレンズのクリーニング装置を提供することにある。
【００１２】
本発明の他の目的とするところは、空気流をピックアップレンズに吹き付ける噴出口に案内フードを設けることにより、空気流を直接にピックアップレンズに吹き付けることができるピックアップレンズのクリーニング装置を提供することにある。
【００１３】
本発明の他の目的とするところは、空気取入口及び噴出口を複数箇所設けることにより、取り入れる空気流及び吹き付ける空気流を増大することができるピックアップレンズのクリーニング装置を提供することにある。
【００１４】
本発明の他の目的とするところは、光ピックアップの空気取入口側をスピンドルとの間隔が狭くなるように構成することにより、流速の速い空気流を空気取入口から取り入れることができるピックアップレンズのクリーニング装置を提供することにある。
【００１５】
本発明の他の目的とするところは、ターンテーブルの下面にスパイラル構造の突起を設けることにより、空気取入口から取り込む空気流が増加するピックアップレンズのクリーニング装置を提供することにある。
【００１６】
本発明の他の目的とするところは、光ディスク装置にピックアップレンズのクリーニング装置を備えることにより、ピックアップレンズに付着した塵埃を除去することができる光ディスク装置を提供することを目的とする。
【課題を解決するための手段】
【００１７】
本発明のピックアップレンズのクリーニング装置は、ピックアップレンズを有する筐体状のピックアップハウジング及び該ピックアップハウジングを覆い、前記ピックアップレンズを露出させてある箱状のピックアップカバーを有する光ピックアップと、該光ピックアップに並設してあるスピンドルにより回転するターンテーブルとを備える光ディスク装置におけるピックアップレンズのクリーニング装置であって、前記ピックアップカバー及び／又はピックアップハウジングに、前記スピンドルに対向する側に設けられ、前記ターンテーブルの回転により生じる空気流を取り込む空気取入口と、前記ピックアップカバーに設けられた、前記ピックアップレンズに向けて空気流を噴出する噴出口と、該噴出口及び前記空気取入口を接続する通路とを有しており、取り込んだ前記空気流を前記噴出口から前記ピックアップレンズに吹き付けるように構成してあることを特徴とする。
【００１８】
このような構成の本発明のピックアップレンズのクリーニング装置では、ターンテーブルが回転することにより、ピックアップカバー又はピックアップハウジングとスピンドルとの間で動圧効果によって発生した空気流を空気取入口から取り込み、通路を通った空気流をピックアップカバーの噴出口から噴出してピックアップレンズに吹き付け、ピックアップレンズの表面に付着していた塵埃を除去する。
【００１９】
本発明のピックアップレンズのクリーニング装置は、前記噴出口から噴出する空気流は、前記ターンテーブルに装着された光ディスクで反射して前記ピックアップレンズに吹き付けるようにしてあることを特徴とする。
【００２０】
このような構成の本発明のピックアップレンズのクリーニング装置では、空気取入口から吸入した空気流を噴出口から光ディスクに向けて噴出し、空気流が光ディスクで反射してピックアップレンズに吹き付け、ピックアップレンズ表面に付着していた塵埃を除去する。
【００２１】
本発明のピックアップレンズのクリーニング装置は、前記噴出口は、前記ピックアップレンズに向けてテーパー状末広がりに開口していることを特徴とする。
【００２２】
このような構成の本発明のピックアップレンズのクリーニング装置では、噴出口から空気流がピックアップレンズに向けて吹き出る。
【００２３】
本発明のピックアップレンズのクリーニング装置は、前記噴出口は、前記ピックアップレンズに前記空気流を吹き付けるようにした案内フードを備えてあることを特徴とする。
【００２４】
このような構成の本発明のピックアップレンズのクリーニング装置では、噴出口から噴出する空気流を案内フードがガイドして直接ピックアップレンズに吹き付け、ピックアップレンズ表面に付着していた塵埃を除去する。
【００２５】
本発明のピックアップレンズのクリーニング装置は、前記噴出口及び前記空気取入口は、複数箇所設けられてあることを特徴とする。
【００２６】
このような構成の本発明のピックアップレンズのクリーニング装置では、取り入れる空気流及び吹き付ける空気流が増大し、それぞれの噴出口からピックアップレンズに向けて空気流を吹き付ける。
【００２７】
本発明のピックアップレンズのクリーニング装置は、前記ピックアップカバー及びピックアップハウジングと前記スピンドルとの間隔は、前記空気取入口に向かって狭くなるように構成してあることを特徴とする。
【００２８】
このような構成の本発明のピックアップレンズのクリーニング装置では、間隔の広いところから流入した空気が狭いところに向かって流れるので流速が速くなり、流速が速くなった空気流を空気取入口から取り込む。
【００２９】
本発明のピックアップレンズのクリーニング装置は、前記ターンテーブルの下面にスパイラル構造の突起を設けてあることを特徴とする。
【００３０】
このような構成の本発明のピックアップレンズのクリーニング装置では、ターンテーブル下面のスパイラル構造の回転によって空気流の動圧が増し、空気取入口から取り込む空気流が増加する。
【００３１】
本発明の光ディスク装置は、前記ピックアップレンズのクリーニング装置のいずれか一つと、ピックアップレンズを有する光ピックアップと、スピンドルにより回転するターンテーブルとを備えることを特徴とする。
【００３２】
このような構成の本発明の光ディスク装置では、ピックアップレンズのクリーニング装置がピックアップレンズの表面に付着した塵埃を除去する。
【発明の効果】
【００３３】
本発明のピックアップレンズのクリーニング装置は、ターンテーブルの回転により生じる空気流をピックアップカバー又はピックアップハウジングの空気取入口から取り入れてピックアップレンズに吹き付けるので、簡単な構造でピックアップレンズ表面に付着した塵埃を除去することができるという効果を有する。
したがって、本発明のピックアップレンズのクリーニング装置は、装置自体の重量、体積及び電力の増加を抑えることができるようになる。
【００３４】
本発明のピックアップレンズのクリーニング装置は、ターンテーブルに装着されている光ディスクを利用して、取り込んだ空気流をピックアップレンズに吹き付けるので、構造がきわめて簡単でピックアップレンズ表面に付着した塵埃を除去することができるという効果を有する。
【００３５】
本発明のピックアップレンズのクリーニング装置は、噴出する空気流がテーパー状末広がりに開口している噴出口に案内されるので、空気流が広がり、ピックアップレンズ表面を広範囲に吹き付けることができるという効果を有する。
【００３６】
本発明のピックアップレンズのクリーニング装置は、噴出する空気流が案内フードによって案内されるので、空気流を直接にピックアップレンズに向けて吹き付けることができるという効果を有する。
したがって、ピックアップレンズ表面に付着していた塵埃を効果的に除去できる。
【００３７】
本発明のピックアップレンズのクリーニング装置は、空気取入口及び噴出口を複数箇所設けているので、取り入れる空気流及び吹き付ける空気流が増大するという効果を有する。
したがって、ピックアップレンズ表面に付着していた塵埃を効果的に除去できる。
【００３８】
本発明のピックアップレンズのクリーニング装置は、空気取入口側をスピンドルとの間隔が狭くなるようにしているので、流速の速い空気流を取り込み、ピックアップレンズに吹き付けることができるという効果を有する。
したがって、ピックアップレンズ表面に付着していた塵埃を効果的に除去できる。
【００３９】
本発明のピックアップレンズのクリーニング装置は、ターンテーブル下面のスパイラル構造の回転により空気流の動圧が増すので、空気取入口から取り込む空気流が増加するという効果を有する。
したがって、ピックアップレンズ表面に付着していた塵埃を効果的に除去できる。
【００４０】
本発明の光ディスク装置は、ピックアップレンズのクリーニング装置を備えているので、ピックアップレンズ表面に付着した塵埃を除去することができるという効果を有する。
【発明を実施するための最良の形態】
【００４１】
以下、図面に基づき、本発明によるピックアップレンズのクリーニング装置の好適な実施の形態を説明する。
本発明に係る光ディスク装置は、光ディスクに情報を記録再生するディスクドライブであり、再生専用型、追記型及び書き換え可能型のディスクドライブを含む。また、本発明に係る光ディスクは総称であり、ＣＤ及びＤＶＤなどの光ディスクだけでなく、ＭＤ及びＭＯなどの光磁気ディスクを含むものである。これら記憶媒体をメディアディスクと称して説明する。
【００４２】
図１は本実施の形態に係るピックアップレンズのクリーニング装置を備えたピックアップを搭載するディスクドライブの一部概略図である。図２は本実施の形態に係るピックアップレンズのクリーニング装置を備えたピックアップの外観図である。図３は本実施の形態に係るピックアップとターンテーブルとの位置関係を示す上面図である。図４は本実施の形態に係るピックアップとターンテーブルとの位置関係を示す側面図である。
なお、図３においてメディアディスクは省略している。
【００４３】
ディスクドライブ２（ディスク装置）には、メディアディスク４を載置してスピンドルモータ（図示せず）で回転させるターンテーブル６と、メディアディスク４に記録されたデータを読み出す本実施の形態に係る光ピックアップ８とを備え、光ピックアップ８は往復移動可能な台座９に設けられており、ピックアップレンズ１０からレーザ光を照射しながらメディアディスク４に対して半径方向に移動して、メディアディスク４に情報を記録又はメディアディスク４の情報を読み出すようになっている。
なお、光ピックアップ８は、ピックアップハウジング１４内に、ピックアップレンズ１０、コリメータレンズ（図示せず）、ビームスプリッタ（ハーフミラー）（図示せず）、レーザダイオード（図示せず）及び受光素子（図示せず）等の光学系を備えている。
【００４４】
図２に示すように、本実施の形態のピックアップレンズのクリーニング装置は、光ピックアップ８のピックアップハウジング１４を覆う箱状のピックアップカバー１２にクリーニング機構が設けられたものである。ピックアップカバー１２は略中央の開口部１６にピックアップレンズ１０を露出させて設けており、開口部１６の近傍にピックアップレンズ１０に向けた噴出口１８を備える。噴出口１８は空気を噴出する出口であり、この噴出口１８から噴出した空気流がメディアディスク４によって反射されてピックアップレンズ１０に吹き付けるようになっている（図４及び図５を参照）。
【００４５】
噴出口１８はピックアップレンズ１０に向けてテーパー状に末広がりに開口しており、その開口面は通路２６の出口２７に対してピックアップレンズ１０側に偏心した位置に設けられている。
【００４６】
ピックアップカバー１２及びピックアップハウジング１４は略矩形状の筐体であるが、円柱状のスピンドル２０の側面に対応して、湾曲した側面２２、２３を有しており、ピックアップカバー１２の側面２２に空気取入口２４が設けられている。
空気取入口２４と噴出口１８とはピックアップカバー１２の内側に設けられた通路２６で接続されている。
ピックアップカバー１２及びピックアップハウジング１４の湾曲した側面２２、２３は、図２で示す側面の中心線の位置Ａからピックアップカバー１２の末端部３０に行くにつれて、円柱状のスピンドル２０の曲率半径よりも徐々に小さく湾曲するように形成されている。
【００４７】
したがって、原点におけるピックアップカバー１２及びピックアップハウジング１４とスピンドル２０との間隔は（図３のＡ点とＢ点との距離）、ピックアップカバー１２の末端部３０（図３のＣ点）に近づくにつれて徐々に近接するようになっている。
なお、図３で示す光ピックアップ８の位置が原点であり、この位置から光ピックアップ８はメディアディスク４の半径方向に移動する。
【００４８】
次に本実施の形態の作用を説明する。
図５は本実施の形態に係るピックアップレンズのクリーニング装置の噴出口から空気が噴出してピックアップレンズをクリーニングする動作を示す断面図である。
先ず、図３に示す原点位置に光ピックアップ８があり、ターンテーブル６にメディアディスク４を装着し、ディスクドライブ２を起動してスピンドル２０により、ターンテーブル６が回転する。
【００４９】
次に、ターンテーブル６の回転により、スピンドル２０とピックアップカバー１２との間で動圧効果によって空気流が生じ、この空気流をピックアップカバー１２に設けた空気取入口２４から取り込む。このときピックアップカバー１２とスピンドルモータ外形との間隔が空気取入口２４に向かって狭くなっているため、空気の流速が速くなり、この流速の速い空気が空気取入口２４から通路２６を通って噴出口１８から噴出する。このとき噴出口１８がテーパー状になっているので、空気流がメディアディスク４に対して斜め方向に向かって噴出する。なお、図５中、空気流は矢印で示した。
【００５０】
そして、噴出した空気がメディアディスク４で反射してピックアップレンズ１０の上面に吹き付け、ピックアップレンズ１０の表面に堆積している塵埃を除去する。
【００５１】
このような構成の本実施の形態は、ピックアップカバー１２の空気取入口２４からターンテーブル６の回転により動圧効果によって発生した空気流を取り込み、メディアディスク４を介してピックアップレンズ１０に吹き付けるので、ピックアップレンズ１０表面の塵埃を吹き飛ばしてクリーニングをすることができる。
また本実施の形態は、ピックアップカバー１２に空気流を取り込むクリーニング機構を設けているだけであるので、簡単な構造でクリーニングをすることができ、装置の重量、容量及び電力の増加を抑えることができる。
【００５２】
次に他の実施の形態について説明する。
図６は他の実施の形態に係るピックアップレンズのクリーニング装置の噴出口を示す断面図である。図７は他の実施の形態に係るピックアップレンズのクリーニング装置におけるターンテーブルの下面を示す外観図である。
他の実施の形態はターンテーブル６の下面にスパイラル構造の突起３１設けることで、ターンテーブル６の回転により動圧効果によって発生する空気を増やして、ピックアップカバー１２の空気取入口２４から取り込む。
したがって、他の実施の形態は空気取入口２４から取り入れる空気流を増加させることができる。
【００５３】
さらに他の実施形態はピックアップカバー１２に設けられた噴出口１８に案内フード３２を設けたものである。
このような構成のピックアップレンズのクリーニング装置では、空気流が案内フード３２によりピックアップレンズ１０の方向に直接噴出し、ピックアップレンズ１０表面の塵埃を吹き飛ばしてクリーニングする。
【００５４】
このように他の実施の形態では、取り込む空気流が増加し、ピックアップレンズ１０に直接空気流を吹き付けることができる。
【００５５】
なお、本実施の形態では、ピックアップカバー１２に空気取入口２４を設けたがピックアップハウジング１４に設けてもよい。また本実施の形態における空気取入口２４の位置が好ましいが、ピックアップカバー１２及びピックアップハウジング１４のスピンドル２０に対向する側面であれば特に制限されない。
取り入れた空気の噴出口１８は、ピックアップレンズ１０に空気を吹き付けられる位置に形成されておればよく、さらに空気取入口及び噴出口はそれぞれ一カ所でなくてもよく、複数箇所設けてもよい。
またピックアップカバー１２及びピックアップハウジング１４のそれぞれに１以上の空気取入口を設けて、噴出口を共通にしてもよい。
【図面の簡単な説明】
【００５６】
【図１】本実施の形態に係るピックアップレンズのクリーニング装置を備えたピックアップを搭載するディスクドライブの一部概略図である。
【図２】本実施の形態に係るピックアップレンズのクリーニング装置を備えたピックアップの外観図である。
【図３】本実施の形態に係るピックアップとターンテーブルとの位置関係を示す上面図である。
【図４】本実施の形態に係るピックアップとターンテーブルとの位置関係を示す側面図である。
【図５】本実施の形態に係るピックアップレンズのクリーニング装置の噴出口から空気が噴出してピックアップレンズをクリーニングする動作を示す断面図である。
【図６】他の実施の形態に係るピックアップレンズのクリーニング装置の噴出口を示す断面図である。
【図７】他の実施の形態に係るピックアップレンズのクリーニング装置におけるターンテーブルの下面を示す外観図である。
【符号の説明】
【００５７】
２  ディスクドライブ（光ディスク装置）
４  メディアディスク
６  ターンテーブル
８  光ピックアップ
１０  ピックアップレンズ
１２  ピックアップカバー
１４  ピックアップハウジング
１６  開口部
１８  噴出口
２４  空気取入口
２６  通路
３１  突起
３２  案内フード
【図１】
2008059640.tif 000003
【図２】
2008059640.tif 000004
【図３】
2008059640.tif 000005
【図４】
2008059640.tif 000006
【図５】
2008059640.tif 000007
【図６】
2008059640.tif 000008
【図７】
2008059640.tif 000009